(57)【要約】【課題】２個以上のブレッドボードが所定の雄型・雌型接続端子を介して横向きで互いに接続され、使用機能が拡張し得る積層式ブレッドボードを提供する。【解決手段】積層式ブレッドボードは、少なくとも１つのブレッドボード１と、複数の導電端子とを備える。ブレッドボード１は、頂面１１、底面１２及び複数の側面１３を有するとともに、頂面１１及び底面１２に複数の第１の挿入孔が形成される。導電端子は、第１の挿入孔中にそれぞれ挿設される。積層式ブレッドボードは、複数の雌型接続端子４及び複数の雄型接続端子３をさらに備える。雌型接続端子４は、少なくとも１つのソケット４１を有する。ソケット４１は、少なくとも１つの穿孔を有する。雄型接続端子３が雌型接続端子４の穿孔に挿設されると、雄型接続端子３と雌型接続端子４とが枢着されて互いに電気的に接続される。【選択図】図３
0003211092.tif 000002
【実用新案登録請求の範囲】
【請求項１】
少なくとも１つのブレッドボードと、複数の導電端子とを備えた積層式ブレッドボードであって、
前記ブレッドボードは、頂面、底面及び複数の側面を有するとともに、前記頂面及び前記底面に複数の第１の挿入孔が形成され、
前記導電端子は、前記第１の挿入孔中にそれぞれ挿設されることを特徴とする積層式ブレッドボード。
【請求項２】
前記導電端子は、少なくとも１つの第１の導電部と、少なくとも１つの第２の導電部と、を有し、
前記導電端子が前記第１の挿入孔中に縦向きに挿設されると、前記導電端子の前記第１の導電部と前記第２の導電部とが前記第１の挿入孔の両端に形成された開口にそれぞれ位置することを特徴とする請求項１に記載の積層式ブレッドボード。
【請求項３】
複数の雌型接続端子及び複数の雄型接続端子をさらに備え、
前記雌型接続端子は、少なくとも１つのソケットを有し、
前記ソケットは、少なくとも１つの穿孔を有し、
前記雄型接続端子が前記雌型接続端子の前記穿孔に挿設されると、前記雄型接続端子と前記雌型接続端子とが枢着されて互いに電気的に接続されることを特徴とする請求項１に記載の積層式ブレッドボード。
【請求項４】
前記雄型接続端子は、少なくとも１つのストッパを有することを特徴とする請求項３に記載の積層式ブレッドボード。
【請求項５】
少なくとも１つのブレッドボードと、複数の導電端子とを備えた積層式ブレッドボードであって、
前記ブレッドボードは、頂面、底面及び複数の側面を有するとともに、前記頂面及び前記側面には、前記側面に隣接するように複数の第２の挿入孔が形成され、
前記導電端子は、前記第２の挿入孔中にそれぞれ挿設されることを特徴とする積層式ブレッドボード。
【請求項６】
前記導電端子は、少なくとも１つの第１の導電部と、少なくとも１つの第２の導電部と、を有し、
前記導電端子がＬ字状に折り曲げられて前記第２の挿入孔中に挿設されると、前記導電端子の前記第１の導電部と前記第２の導電部とが、前記第２の挿入孔の両端に形成された開口にそれぞれ位置することを特徴とする請求項５に記載の積層式ブレッドボード。
【請求項７】
複数の雌型接続端子及び複数の雄型接続端子をさらに備え、
前記雌型接続端子は、少なくとも１つのソケットを有し、
前記ソケットは、少なくとも１つの穿孔を有し、
前記雄型接続端子が前記雌型接続端子の前記穿孔に挿設されると、前記雄型接続端子と前記雌型接続端子とが枢着されて互いに電気的に接続されることを特徴とする請求項５に記載の積層式ブレッドボード。
【請求項８】
前記雄型接続端子は、少なくとも１つのストッパを有することを特徴とする請求項７に記載の積層式ブレッドボード。
【考案の詳細な説明】
【技術分野】
【０００１】
本考案は、積層式ブレッドボードに関し、特に、ブレッドボードの頂面及び底面に形成された複数の第１の挿入孔と、ブレッドボードの頂面及び側面に形成された複数の第２の挿入孔と、を含み、第１の挿入孔が縦向き（上下方向）で形成され、２個以上のブレッドボードが所定の雄型・雌型接続端子を介して縦向きに積層された構造で接続され、立体積層方式により占有する平面面積を減らし、第２の挿入孔が縦向き・横向き（上面・側面）に形成されているため、２個以上のブレッドボードが所定の雄型・雌型接続端子を介して横向きで互いに接続され、使用機能が拡張し得る積層式ブレッドボードに関する。
【背景技術】
【０００２】
近年、科学技術の急速な発展に伴い、電子機器は次第に人々の日常生活に必要不可欠な製品となっており、それら電子機器には、例えば、タブレットコンピュータ、スマートフォン、ノート型パソコンなど各種３Ｃ（Ｃｏｍｐｕｔｅｒ、Ｃｏｍｍｕｎｉｃａｔｉｏｎ、Ｃｏｎｓｕｍｅｒ ｅｌｅｃｔｒｏｎｉｃｓ）が含まれ、使用者は、それら電子機器を利用して友達、知人、顧客などと連絡をとりあったり、インターネットを利用して世界中の情報を得たりすることができるようになった。
【０００３】
各種電子機器には、次々と新たな機能が開発されており、主に電子設計開発エンジニアにより電子機器を改良・検査し、新規性及び創意性が高い電子機器が次第に開発された。大部分の電子エンジニアは、電子機器の回路を実際に製作する前に、テスト基板に回路を組むことが一般的である。前述のテスト基板は、ソルダレス・ブレッドボード（ｓｏｌｄｅｒｌｅｓｓ  ｂｒｅａｄｂｏａｒｄ）又はブレッドボード（ｂｒｅａｄｂｏａｒｄ）とも称される。
【０００４】
図１を参照する。図１に示すように、従来のブレッドボードＡ２は、複数の単一方向の開口である挿入孔Ａ２１を有する。挿入孔Ａ２１の開口方向は上向きであり、ブレッドボードＡ２内には、複数の導電端子Ａ１１が別途配設される。導電端子Ａ１１には、上向きに延びた複数の挿着部Ａ１が延設される。各挿着部Ａ１は、各挿入孔Ａ２１中に対応する。ブレッドボードＡ２の底部は、板体で密封される。この構成により、電子設計開発エンジニアは、電子部品をブレッドボードＡ２の挿入孔Ａ２１に差し込むだけで、試作した電子制御回路の変更、調整及びテストを行うことができた。
【０００５】
しかし、従来技術において、ブレッドボードＡ２に形成される挿入孔Ａ２１の開口方向は上向きであるため、電子部品をブレッドボードＡ２上（即ち表面）に差し込むことしかできなかった。そのため、ブレッドボードＡ２の面積が制限され、大型の電子回路シミュレータには、各種電子部品を差し込む複数のブレッドボードＡ２を使用しなければならなかった。しかし、２個以上のブレッドボードＡ２を互いに接続させる場合、複数のブレッドボードＡ２を平面に設置して使用するか、平面で互いに連結して使用することしかできず、占有される平面面積が無駄に大きくなるとともに、シミュレートする複数のブレッドボードＡ２を所定の電子キャリアに取り付けてハードウェア又は付属物の動作をテストすることはできなかった。
【考案の概要】
【考案が解決しようとする課題】
【０００６】
本考案の主な目的は、ブレッドボードの頂面及び底面に形成された複数の第１の挿入孔と、ブレッドボードの頂面及び側面に形成された複数の第２の挿入孔と、を含み、第１の挿入孔が縦向き（上下方向）で形成され、２個以上のブレッドボードが所定の雄型・雌型接続端子を介して縦向きに積層された構造で接続され、立体積層方式により占有する平面面積を減らし、第２の挿入孔が縦向き・横向き（上面・側面）に形成されているため、２個以上のブレッドボードが所定の雄型・雌型接続端子を介して横向きで互いに接続され、使用機能が拡張し得る積層式ブレッドボードを提供することにある。
【課題を解決するための手段】
【０００７】
上記課題を解決するために、本考案の第１の形態によれば、少なくとも１つのブレッドボードと、複数の導電端子とを備えた積層式ブレッドボードであって、前記ブレッドボードは、頂面、底面及び複数の側面を有するとともに、前記頂面及び前記底面に複数の第１の挿入孔が形成され、前記導電端子は、前記第１の挿入孔中にそれぞれ挿設されることを特徴とする積層式ブレッドボードが提供される。
【０００８】
前記導電端子は、少なくとも１つの第１の導電部と、少なくとも１つの第２の導電部と、を有し、前記導電端子が前記第１の挿入孔中に縦向きに挿設されると、前記導電端子の前記第１の導電部と前記第２の導電部とが前記第１の挿入孔の両端に形成された開口にそれぞれ位置することが好ましい。
【０００９】
複数の雌型接続端子及び複数の雄型接続端子をさらに備え、前記雌型接続端子は、少なくとも１つのソケットを有し、前記ソケットは、少なくとも１つの穿孔を有し、前記雄型接続端子が前記雌型接続端子の前記穿孔に挿設されると、前記雄型接続端子と前記雌型接続端子とが枢着されて互いに電気的に接続されることが好ましい。
【００１０】
前記雄型接続端子は、少なくとも１つのストッパを有することが好ましい。
【００１１】
上記課題を解決するために、本考案の第２の形態によれば、少なくとも１つのブレッドボードと、複数の導電端子とを備えた積層式ブレッドボードであって、前記ブレッドボードは、頂面、底面及び複数の側面を有するとともに、前記頂面及び前記側面には、前記側面に隣接するように複数の第２の挿入孔が形成され、前記導電端子は、前記第２の挿入孔中にそれぞれ挿設されることを特徴とする積層式ブレッドボードが提供される。
【００１２】
前記導電端子は、少なくとも１つの第１の導電部と、少なくとも１つの第２の導電部と、を有し、前記導電端子がＬ字状に折り曲げられて前記第２の挿入孔中に挿設されると、前記導電端子の前記第１の導電部と前記第２の導電部とが、前記第２の挿入孔の両端に形成された開口にそれぞれ位置することが好ましい。
【００１３】
複数の雌型接続端子及び複数の雄型接続端子をさらに備え、前記雌型接続端子は、少なくとも１つのソケットを有し、前記ソケットは、少なくとも１つの穿孔を有し、前記雄型接続端子が前記雌型接続端子の前記穿孔に挿設されると、前記雄型接続端子と前記雌型接続端子とが枢着されて互いに電気的に接続されることが好ましい。
【００１４】
前記雄型接続端子は、少なくとも１つのストッパを有することが好ましい。
【考案の効果】
【００１５】
本考案の積層式ブレッドボードには、第１の挿入孔が縦向き（上下方向）で形成されて電気的に接続されているため、ブレッドボードの頂面又は底面に電子部品を挿設することができ、ブレッドボードに挿設可能な面積が増える上、雄型接続端子又は雌型接続端子をブレッドボードの頂面又は底面に挿設し、雄型接続端子と雌型接続端子とを縦向きで積層して２個以上のブレッドボードを接続して占有する平面面積を大幅に減らすことができる上、第２の挿入孔をブレッドボードに縦向き・横向き（上面・側面）に形成して互いに電気的に接続し、雄型及び雌型の接続端子を介して２個以上のブレッドボードを横向き（側面）で強固に接続することができるため、従来のように手間がかかって不安定な渡り線方式により２個のブレッドボードを互いに接続する必要がない。
【図面の簡単な説明】
【００１６】
【図１】図１は、従来のブレッドボードを示す分解斜視図である。
【図２】図２は、本考案の一実施形態に係る積層式ブレッドボードを示す分解斜視図である。
【図３】図３は、本考案の一実施形態に係る積層式ブレッドボードを示す側面図である。
【図４】図４は、本考案の一実施形態に係る積層式ブレッドボードを示す正面図である。
【図５】図５は、本考案の一実施形態に係る積層式ブレッドボードの雄型接続端子と雌型接続端子とを接続する状態を示す斜視図である。
【図６】図６は、本考案の一実施形態に係る積層式ブレッドボードの導電端子を示す斜視図である。
【図７】図７は、本考案の一実施形態に係る積層式ブレッドボードを示す断面図である。
【考案を実施するための形態】
【００１７】
以下、本考案の実施形態について図に基づいて説明する。なお、これによって本考案が限定されるものではない。
【００１８】
図２〜図７を参照する。図２〜図７に示すように、本考案の一実施形態に係る積層式ブレッドボードは、少なくとも１つのブレッドボード１と、複数の導電端子２と、複数の雄型接続端子３と、複数の雌型接続端子４とから構成されてなる。
【００１９】
ブレッドボード１は、頂面１１、底面１２及び複数の側面１３を有する。ブレッドボード１は、複数の第１の挿入孔１４を有する。各第１の挿入孔１４は、ブレッドボード１の頂面１１及び底面１２にそれぞれ形成される。ブレッドボード１には、複数の第２の挿入孔１５が形成される。第２の挿入孔１５は、第１の挿入孔１４の周囲に対向配置し、ブレッドボード１の側面１３に隣接する。各第２の挿入孔１５は、ブレッドボード１の頂面１１及び側面１３にそれぞれ形成される。
【００２０】
前述した複数の第１の挿入孔１４は、アレイ状に配列される。前述した第２の挿入孔１５は、第１の挿入孔１４の最外側の周囲に対応配置され、ブレッドボード１の側面１３に隣接される。
【００２１】
導電端子２は、少なくとも１つの第１の導電部２１と、少なくとも１つの第２の導電部２２と、を有する。導電端子２は、第１の挿入孔１４及び第２の挿入孔１５中にそれぞれ挿設される。前述した導電端子２は、第１の挿入孔１４中に縦向きに設置され、導電端子２の第１の導電部２１と第２の導電部２２とが第１の挿入孔１４の両端に形成された開口にそれぞれ位置し、第１の挿入孔１４の上下両端の開口が電気的に接続される。前述した導電端子２は、Ｌ字状に折り曲げて第２の挿入孔１５中に挿設され、導電端子２の第１の導電部２１と第２の導電部２２とが第２の挿入孔１５の両端に形成された開口にそれぞれ位置し（図７を参照する）、第２の挿入孔１５の上面及び側面の両端に形成された開口が電気的に接続されるという長所を有する。
【００２２】
前述した雄型接続端子３は、少なくとも１つのストッパ３１を有する。前述した雌型接続端子４は、少なくとも１つのソケット４１を有する。ソケット４１は、少なくとも１つの穿孔４１１を有する。雄型接続端子３が雌型接続端子４のソケット４１の穿孔４１１に挿設されると、雄型接続端子３と雌型接続端子４とが枢着されて互いに電気的に接続される。
【００２３】
第１の挿入孔１４は、ブレッドボード１に縦向き（上下）に形成された頂面１１と底面１２とを電気的に接続し、電子部品をブレッドボード１の頂面１１又は底面１２に挿設することができるため、ブレッドボード１に挿設して使用することができる面積を増やす。
【００２４】
ブレッドボード１の頂面１１及び底面１２には、第１の挿入孔１４が縦向き（上下方向）で形成され、互いに電気的に接続される。雄型接続端子３は、一端が一方のブレッドボード１の底面１２の第１の挿入孔１４に挿設され、他端が他方のブレッドボード１の頂面１１の第１の挿入孔１４に挿設され、雄型接続端子３を縦向きで積層して２個以上のブレッドボード１を互いに接続するか、雄型接続端子３の両端をブレッドボード１へそれぞれ挿設した後、雄型接続端子３をブレッドボード１から延ばし、雌型接続端子４と電気的に接続し、雌型接続端子４の他端を他方のブレッドボード１に挿設し、雄型接続端子３と雌型接続端子４とを縦向きに積層して２個以上のブレッドボード１を互いに接続する（図３及び図４を参照する）。また、一方のブレッドボード１と他方のブレッドボード１との間隔距離は、雄型接続端子３に設けたストッパ３１の高さを変えて調整し、縦向きで積層して接続し、所望の構造を形成してもよい。
【００２５】
第２の挿入孔１５は、ブレッドボード１の頂面１１及び側面１３に縦向き・横向き（上面・側面）に形成されて互いに電気的に接続され、雄型接続端子３の一端が一方のブレッドボード１の側面１３の第２の挿入孔１５に挿設され、雄型接続端子３の他端が他方のブレッドボード１の側面１３の第２の挿入孔１５に挿設され、雄型接続端子３により直接横向き（側面）で２個以上のブレッドボード１を互いに強固に接続することができるため、従来のように手間がかかって不安定な渡り線方式によりブレッドボード１を互いに接続する必要がない（図３を参照する）。
【００２６】
前述したことから分かるように、第１の挿入孔１４がブレッドボード１の頂面１１及び底面１２に縦向き（上下方向）に形成されて電気的に接続され、２個以上のブレッドボード１が雄型接続端子３と雌型接続端子４とを介して縦向きに積層された構造で接続され、ブレッドボード１により立体積層方式により占有する平面面積を大幅に減らすことができる。また、第２の挿入孔１５がブレッドボード１の頂面１１及び側面１３に縦向き・横向き（上面・側面）に形成されて互いに電気的に接続されているため、２個以上のブレッドボード１が雄型接続端子３を介して横向き（側面）で互いに強固に接続されるため、積層構造のブレッドボード１を使用する面積を増やすことができる。
【００２７】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２８】
１  ブレッドボード
２  導電端子
３  雄型接続端子
４  雌型接続端子
１１  頂面
１２  底面
１３  側面
１４  第１の挿入孔
１５  第２の挿入孔
２１  第１の導電部
２２  第２の導電部
３１  ストッパ
４１  ソケット
４１１  穿孔
Ａ１  挿着部
Ａ２  ブレッドボード
Ａ１１  導電端子
Ａ２１  挿入孔
【図１】
0003211092.tif 000003
【図２】
0003211092.tif 000004
【図３】
0003211092.tif 000005
【図４】
0003211092.tif 000006
【図５】
0003211092.tif 000007
【図６】
0003211092.tif 000008
【図７】
0003211092.tif 000009